【手続補正書】
【提出日】平成18年1月16日(2006.1.16)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】  被写体を撮像して画像データを取得する撮像装置において，
被写体を撮像する撮像手段と，
前記撮像手段を変位させる圧電素子とを備え，
前記圧電素子の電力供給源として，他のユニットに電力を供給するエネルギー蓄積手段を使用したことを特徴とする撮像装置。
【請求項２】  請求項１に記載の撮像装置において，
前記エネルギー蓄積手段は，内部または外部に設けられたストロボ発光用のメインコンデンサからなり，当該メインコンデンサに蓄積されたエネルギーで前記圧電素子を充電することを特徴とする撮像装置。
【請求項３】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御する制御手段とを備え，
前記制御手段は，１回目の撮影では前記圧電素子を充電して前記撮像素子を変位させた状態で撮影を行い，２回目の撮影では前記圧電素子を放電させて前記撮像素子の変位前の状態で撮影を行うべく制御することを特徴とする撮像装置。
【請求項４】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御する制御手段とを備え，
前記スイッチ手段は，前記圧電素子の充電電圧が所定値になると充電動作を停止して当該充電電圧を保持する一方，前記圧電素子の充電電圧が所定値よりも低下した場合に，充電動作を再開する充電調整回路を含み，
前記制御手段は，１回目の撮影では前記圧電素子を充電して前記撮像素子を変位させた状態で撮影を行い，２回目の撮影では前記圧電素子を放電させて前記撮像素子の変位前の状態で撮影を行うべく制御することを特徴とする撮像装置。
【請求項５】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御する制御手段とを備え，
前記スイッチ手段は，前記圧電素子の充電をＯＮ／ＯＦＦさせる充電用ＳＷ回路と，前記圧電素子の放電をＯＮ／ＯＦＦさせる放電用ＳＷ回路と，前記圧電素子の充電電圧を検出する検出回路と，前記検出回路で検出した前記圧電素子の充電電圧と基準電圧値とを比較する比較手段とを含み，前記充電用ＳＷ回路は前記比較手段の比較結果に基づいて前記圧電素子の充電をＯＮ／ＯＦＦさせる一方，
前記制御手段は，１回目の撮影では前記圧電素子を充電して前記撮像素子を変位させた状態で撮影を行い，２回目の撮影では前記圧電素子を放電させて前記撮像素子の変位前の状態で撮影を行うべく制御することを特徴とする撮像装置。
【請求項６】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御する制御手段とを備え，
前記制御手段は，前記圧電素子が所定電圧になった場合に充電動作を停止させるべく制御する一方，１回目の撮影では前記圧電素子を充電して前記撮像素子を変位させた状態で撮影を行い，２回目の撮影では前記圧電素子を放電させて前記撮像素子の変位前の状態で撮影を行うべく制御することを特徴とする撮像装置。
【請求項７】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御するとともに，前記圧電素子が所定電圧になった場合に充電動作を停止させるべく制御する制御手段とを備え，
前記スイッチ手段は，前記圧電素子の充電をＯＮ／ＯＦＦさせる充電用ＳＷ回路と，前記圧電素子の放電をＯＮ／ＯＦＦさせる放電用ＳＷ回路と，前記圧電素子の充電電圧を検出する検出回路とを含み，
前記制御手段は，前記検出回路の検出電圧に基づいて前記充電用ＳＷ回路をＯＮ／ＯＦＦさせる一方，１回目の撮影では前記圧電素子を充電して前記撮像素子を変位させた状態で撮影を行い，２回目の撮影では前記圧電素子を放電させて前記撮像素子の変位前の状態で撮影を行うべく制御することを特徴とする撮像装置。
【請求項８】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御する制御手段とを備え，
前記制御手段は，１回目の撮影では撮像素子を変位させない状態で撮影を行い，２回目の撮影では前記圧電素子を充電させて前記撮像素子を変位させた状態で撮影を行うべく制御することを特徴とする撮像装置。
【請求項９】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御する制御手段とを備え，
前記スイッチ手段は，前記圧電素子の充電電圧が所定値になると充電動作を停止して当該充電電圧を保持する一方，前記圧電素子の充電電圧が所定値よりも低下した場合に，充電動作を再開する充電調整回路を含み，
前記制御手段は，１回目の撮影では撮像素子を変位させない状態で撮影を行い，２回目の撮影では前記圧電素子を充電させて前記撮像素子を変位させた状態で撮影を行うべく制御することを特徴とする撮像装置。
【請求項１０】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御する制御手段とを備え，
前記スイッチ手段は，前記圧電素子の充電をＯＮ／ＯＦＦさせる充電用ＳＷ回路と，前記圧電素子の放電をＯＮ／ＯＦＦさせる放電用ＳＷ回路と，前記圧電素子の充電電圧を検出する検出回路と，前記検出回路で検出した前記圧電素子の充電電圧と基準電圧値とを比較する比較手段とを含み，前記充電用ＳＷ回路は前記比較手段の比較結果に基づいて前記圧電素子の充電をＯＮ／ＯＦＦさせる一方，
前記制御手段は，１回目の撮影では撮像素子を変位させない状態で撮影を行い，２回目の撮影では前記圧電素子を充電させて前記撮像素子を変位させた状態で撮影を行うべく制御することを特徴とする撮像装置。
【請求項１１】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御する制御手段とを備え，
前記制御手段は，前記圧電素子が所定電圧になった場合に充電動作を停止させるべく制御する一方，１回目の撮影では撮像素子を変位させない状態で撮影を行い，２回目の撮影では前記圧電素子を充電させて前記撮像素子を変位させた状態で撮影を行うべく制御することを特徴とする撮像装置。
【請求項１２】  画素ずらし撮影が可能な撮像装置において，
被写体を撮像する撮像手段と，
前記撮像手段を変位させる圧電素子と，
内部または外部に設けられたストロボ発光用のメインコンデンサに蓄積されたエネルギーで前記圧電素子を充電させ，また，前記圧電素子の放電を行わせるためのスイッチ手段と，
前記スイッチ手段を制御して，前記圧電素子の充放電シーケンスを制御するとともに，前記圧電素子が所定電圧になった場合に充電動作を停止させるべく制御する制御手段とを備え，
前記スイッチ手段は，前記圧電素子の充電をＯＮ／ＯＦＦさせる充電用ＳＷ回路と，前記圧電素子の放電をＯＮ／ＯＦＦさせる放電用ＳＷ回路と，前記圧電素子の充電電圧を検出する検出回路とを含み，
前記制御手段は前記検出回路の検出電圧に基づいて前記充電用ＳＷ回路をＯＮ／ＯＦＦさせる一方，１回目の撮影では撮像素子を変位させない状態で撮影を行い，２回目の撮影では前記圧電素子を充電させて前記撮像素子を変位させた状態で撮影を行うべく制御することを特徴とする撮像装置。
【手続補正３】
【補正対象書類名】明細書
【補正対象項目名】０００１
【補正方法】変更
【補正の内容】
【０００１】
【発明の属する技術分野】
本発明は，撮像装置に関し，詳細には，撮像素子を圧電素子で変位させる撮像装置に関する。
【手続補正４】
【補正対象書類名】明細書
【補正対象項目名】０００４
【補正方法】変更
【補正の内容】
【０００４】
また，特開平７−３０１８４３号公報の「カメラの電源回路」では，ストロボ発光を行うストロボ発光装置と，このストロボ発光装置を発光させるための発光エネルギーを蓄積するためにコンデンサと，電源電池の電源電圧を昇圧し，昇圧電圧で上記コンデンサを充電するための充電手段と，カメラ内に設けられたアクチュエータと，このアクチュエータを駆動するための駆動回路と，上記アクチュエータに上記コンデンサに蓄積された発光エネルギーおよび上記電源電池からのエネルギーのいずれかを選択的に上記駆動回路に供給する切替手段と，上記電源電圧を検出する電源電圧検出手段と，カメラの環境温度を検出する測温手段と，上記電源電圧検出手段によって検出された上記電源電圧と上記測温手段によって検出された環境温度に基づいて，上記コンデンサまたは上記電源電圧のいずれかを選択して上記切替手段を制御する制御手段を備えたことにより，ストロボ発光エネルギーを蓄積するコンデンサを電源としてカメラのレンズ駆動機構とフィルム給送機構の駆動力源とする技術が開示されている。
【手続補正５】
【補正対象書類名】明細書
【補正対象項目名】０００６
【補正方法】変更
【補正の内容】
【０００６】
本発明は上記に鑑みてなされたものであり，撮像装置内部に別途昇圧回路を用意することなく撮像素子を変位させる圧電素子を動作させることが可能な撮像装置を提供することを目的とする。
【手続補正６】
【補正対象書類名】明細書
【補正対象項目名】０００７
【補正方法】変更
【補正の内容】
【０００７】
また，本発明は上記に鑑みてなされたものであり，高精細な画像を得ることが可能な撮像装置を提供することを目的とする。
【手続補正７】
【補正対象書類名】明細書
【補正対象項目名】０００８
【補正方法】変更
【補正の内容】
【０００８】
【課題を解決するための手段】
上記目的を達成するため，請求項１に係る発明は，被写体を撮像して画像データを取得する撮像装置において，被写体を撮像する撮像手段と，前記撮像手段を変位させる圧電素子とを備え，前記圧電素子の電力供給源として，他のユニットに電力を供給するエネルギー蓄積手段を使用したものである。
【手続補正８】
【補正対象書類名】明細書
【補正対象項目名】０００９
【補正方法】変更
【補正の内容】
【０００９】
また，請求項２に係る発明は，請求項１に記載の撮像装置において，前記エネルギー蓄積手段は，内部または外部に設けられたストロボ発光用のメインコンデンサからなり，当該メインコンデンサに蓄積されたエネルギーで前記圧電素子を充電するものである。
【手続補正９】
【補正対象書類名】明細書
【補正対象項目名】００１０
【補正方法】変更
【補正の内容】
【００１０】
また，請求項３に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御する制御手段とを備え，前記制御手段は，１回目の撮影では前記圧電素子を充電して前記撮像素子を変位させた状態で撮影を行い，２回目の撮影では前記圧電素子を放電させて前記撮像素子の変位前の状態で撮影を行うべく制御するものである。
【手続補正１０】
【補正対象書類名】明細書
【補正対象項目名】００１１
【補正方法】変更
【補正の内容】
【００１１】
また，請求項４に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御する制御手段とを備え，前記スイッチ手段は，前記圧電素子の充電電圧が所定値になると充電動作を停止して当該充電電圧を保持する一方，前記圧電素子の充電電圧が所定値よりも低下した場合に，充電動作を再開する充電調整回路を含み，前記制御手段は，１回目の撮影では前記圧電素子を充電して前記撮像素子を変位させた状態で撮影を行い，２回目の撮影では前記圧電素子を放電させて前記撮像素子の変位前の状態で撮影を行うべく制御するものである。
【手続補正１１】
【補正対象書類名】明細書
【補正対象項目名】００１２
【補正方法】変更
【補正の内容】
【００１２】
また，請求項５に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御する制御手段とを備え，前記スイッチ手段は，前記圧電素子の充電をＯＮ／ＯＦＦさせる充電用ＳＷ回路と，前記圧電素子の放電をＯＮ／ＯＦＦさせる放電用ＳＷ回路と，前記圧電素子の充電電圧を検出する検出回路と，前記検出回路で検出した前記圧電素子の充電電圧と基準電圧値とを比較する比較手段とを含み，前記充電用ＳＷ回路は前記比較手段の比較結果に基づいて前記圧電素子の充電をＯＮ／ＯＦＦさせる一方，前記制御手段は，１回目の撮影では前記圧電素子を充電して前記撮像素子を変位させた状態で撮影を行い，２回目の撮影では前記圧電素子を放電させて前記撮像素子の変位前の状態で撮影を行うべく制御するものである。
【手続補正１２】
【補正対象書類名】明細書
【補正対象項目名】００１３
【補正方法】変更
【補正の内容】
【００１３】
また，請求項６に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御する制御手段とを備え，前記制御手段は，前記圧電素子が所定電圧になった場合に充電動作を停止させるべく制御する一方，１回目の撮影では前記圧電素子を充電して前記撮像素子を変位させた状態で撮影を行い，２回目の撮影では前記圧電素子を放電させて前記撮像素子の変位前の状態で撮影を行うべく制御するものである。
【手続補正１３】
【補正対象書類名】明細書
【補正対象項目名】００１４
【補正方法】変更
【補正の内容】
【００１４】
また，請求項７に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御するとともに，前記圧電素子が所定電圧になった場合に充電動作を停止させるべく制御する制御手段とを備え，前記スイッチ手段は，前記圧電素子の充電をＯＮ／ＯＦＦさせる充電用ＳＷ回路と，前記圧電素子の放電をＯＮ／ＯＦＦさせる放電用ＳＷ回路と，前記圧電素子の充電電圧を検出する検出回路とを含み，前記制御手段は前記検出回路の検出電圧に基づいて前記充電用ＳＷ回路をＯＮ／ＯＦＦさせる一方，１回目の撮影では前記圧電素子を充電して前記撮像素子を変位させた状態で撮影を行い，２回目の撮影では前記圧電素子を放電させて前記撮像素子の変位前の状態で撮影を行うべく制御するものである。
【手続補正１４】
【補正対象書類名】明細書
【補正対象項目名】００１５
【補正方法】変更
【補正の内容】
【００１５】
また，請求項８に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御する制御手段とを備え，前記制御手段は，１回目の撮影では撮像素子を変位させない状態で撮影を行い，２回目の撮影では前記圧電素子を充電させて前記撮像素子を変位させた状態で撮影を行うべく制御するものである。
【手続補正１５】
【補正対象書類名】明細書
【補正対象項目名】００１６
【補正方法】変更
【補正の内容】
【００１６】
また，請求項９に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御する制御手段とを備え，前記スイッチ手段は，前記圧電素子の充電電圧が所定値になると充電動作を停止して当該充電電圧を保持する一方，前記圧電素子の充電電圧が所定値よりも低下した場合に，充電動作を再開する充電調整回路を含み，前記制御手段は，１回目の撮影では撮像素子を変位させない状態で撮影を行い，２回目の撮影では前記圧電素子を充電させて前記撮像素子を変位させた状態で撮影を行うべく制御するものである。
【手続補正１６】
【補正対象書類名】明細書
【補正対象項目名】００１７
【補正方法】変更
【補正の内容】
【００１７】
また，請求項１０に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御する制御手段とを備え，前記スイッチ手段は，前記圧電素子の充電をＯＮ／ＯＦＦさせる充電用ＳＷ回路と，前記圧電素子の放電をＯＮ／ＯＦＦさせる放電用ＳＷ回路と，前記圧電素子の充電電圧を検出する検出回路と，前記検出回路で検出した前記圧電素子の充電電圧と基準電圧値とを比較する比較手段とを含み，前記充電用ＳＷ回路は前記比較手段の比較結果に基づいて前記圧電素子の充電をＯＮ／ＯＦＦさせる一方，前記制御手段は，１回目の撮影では撮像素子を変位させない状態で撮影を行い，２回目の撮影では前記圧電素子を充電させて前記撮像素子を変位させた状態で撮影を行うべく制御するものである。
【手続補正１７】
【補正対象書類名】明細書
【補正対象項目名】００１８
【補正方法】変更
【補正の内容】
【００１８】
また，請求項１１に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御する制御手段とを備え，前記制御手段は，前記圧電素子が所定電圧になった場合に充電動作を停止させるべく制御する一方，１回目の撮影では撮像素子を変位させない状態で撮影を行い，２回目の撮影では前記圧電素子を充電させて前記撮像素子を変位させた状態で撮影を行うべく制御するものである。
【手続補正１８】
【補正対象書類名】明細書
【補正対象項目名】００１９
【補正方法】変更
【補正の内容】
【００１９】
また，請求項１２に係る発明は，画素ずらし撮影が可能な撮像装置において，被写体を撮像する撮像手段と，前記撮像手段を変位させる圧電素子と，内部または外部に設けられたストロボ発光用のメインコンデンサに蓄積されたエネルギーで前記圧電素子を充電させ，また，前記圧電素子の放電を行わせるためのスイッチ手段と，前記スイッチ手段を制御して，前記圧電素子の充放電シーケンスを制御するとともに，前記圧電素子が所定電圧になった場合に充電動作を停止させるべく制御する制御手段とを備え，前記スイッチ手段は，前記圧電素子の充電をＯＮ／ＯＦＦさせる充電用ＳＷ回路と，前記圧電素子の放電をＯＮ／ＯＦＦさせる放電用ＳＷ回路と，前記圧電素子の充電電圧を検出する検出回路とを含み，前記制御手段は前記検出回路の検出電圧に基づいて前記充電用ＳＷ回路をＯＮ／ＯＦＦさせる一方，１回目の撮影では撮像素子を変位させない状態で撮影を行い，２回目の撮影では前記圧電素子を充電させて前記撮像素子を変位させた状態で撮影を行うべく制御するものである。
【手続補正１９】
【補正対象書類名】明細書
【補正対象項目名】００２０
【補正方法】変更
【補正の内容】
【００２０】
【発明の実施の形態】
以下に添付図面を参照して，この発明に係る撮像装置の好適な実施の形態を詳細に説明する。
【手続補正２０】
【補正対象書類名】明細書
【補正対象項目名】００２３
【補正方法】変更
【補正の内容】
【００２３】
撮像ブロック２は，光学レンズ２０，信号処理ブロック３の制御に従って移動可能に設けられた撮像部２１等を有している。撮像部２１は，光学レンズ２０に入射された光を光学的機構で遮光するシャッタ機構（メカシャッタや絞り等）２２と，例えばＣＣＤからなり，光学レンズ２０に入射された光を受光して電気信号（アナログ画像データ）に変換する撮像素子２３と，この撮像素子２３を支持して撮像素子２３の受光面を結像面との間で平行に移動させ同一被写体の撮像範囲を変更して画素ずらしを行う圧電素子２４とを有している。撮像素子２３の出力はＡ／Ｄ変換部５に供給される。
【手続補正２１】
【補正対象書類名】明細書
【補正対象項目名】００３４
【補正方法】変更
【補正の内容】
【００３４】
次に，圧電素子２４について説明する。図２は撮像ブロック２内の圧電素子２４の取付構造を示す概略構成図である。積層タイプの圧電素子２４は，一端が基板２６Ａに接続され，他端で撮像素子２３を取り付けた素子フォルダ２５を支持している。素子フォルダ２５は圧電素子２４の作動によって矢印方向に移動する。圧電素子２４が充電されていない状態では，撮像素子２３は同図のＰの位置にあり，圧電素子２４が充電された状態では圧電素子が伸長して撮像素子２３はＸの位置に変位する。そして，圧電素子２４が放電された場合には再びＰの位置に戻る。圧電素子２４の変位量（Ｘ−Ｐ）は例えば１／２画素とすることができる。
【手続補正２２】
【補正対象書類名】明細書
【補正対象項目名】００４０
【補正方法】変更
【補正の内容】
【００４０】
そして，画素ずらし処理部３３は，メモリ群３２から供給される１回目に撮影されたデジタル画像データと，２回目に撮影されたデジタル画像データに基づいて，圧電素子２４により撮像範囲を変更したときの画素ずれ量（例えば，画素１／２ピッチ）に応じて同一被写体における高画質化を行い，最終的に一枚分の画像データを得る。
【手続補正２３】
【補正対象書類名】明細書
【補正対象項目名】００５１
【補正方法】変更
【補正の内容】
【００５１】
他方，圧電素子２４の電圧が分圧抵抗６８で分圧されて得られる検出電圧ＶP'がシステムコントローラ３０に出力される。システムコントローラ３０は，入力される検出電圧ＶP'を内蔵のＡ／ＤコンバータでＡ／Ｄ変換した後，検出電圧データとして取得し，規定の電圧値であるか否かを判断する。そして，システムコントローラ３０は，圧電素子２４が規定の電圧値まで充電されると，充電用ＳＷ回路６６のＳＷ３にＬレベルの制御信号を出力して，充電用ＳＷ回路６６をＯＦＦさせて圧電素子２４の充電を終了させ，圧電素子２４の高電位を維持する。
【手続補正２４】
【補正対象書類名】明細書
【補正対象項目名】００６０
【補正方法】変更
【補正の内容】
【００６０】
また，図７に示す圧電素子充電回路６は，圧電素子２４の充電をＯＮ／ＯＦＦさせる充電用ＳＷ回路６６と，圧電素子２４の放電をＯＮ／ＯＦＦさせる放電用ＳＷ回路６７と，圧電素子２４の充電電圧を検出する分圧抵抗６８を含み，システムコントローラ３０が分圧抵抗６８の検出電圧に基づいて充電用ＳＷ回路６６をＯＮ／ＯＦＦさせることとしたので，簡単な構成で圧電素子充電回路を実現することができ，より小規模な回路構成で圧電素子充電回路を実現することが可能となる。
【手続補正２５】
【補正対象書類名】明細書
【補正対象項目名】００６５
【補正方法】変更
【補正の内容】
【００６５】
ところで，目的とする高精細画像は，画素ずらし処理部３３で，１回目と２回目の画像データを合成処理することにより得られるが，ハードウェア演算で高速化を図っても，次の高精細画像を得るための被写体のセッティングには１０秒単位の操作が必要となる。また，この合成処理をＣＰＵのソフトウェア演算で行った場合には１０秒単位の時間が必要となる。
【手続補正２６】
【補正対象書類名】明細書
【補正対象項目名】００６９
【補正方法】変更
【補正の内容】
【００６９】
【発明の効果】
以上説明したように，請求項１に係る発明によれば，撮像手段は被写体を撮像し，圧電素子は撮像手段を変位させ，当該圧電素子の電力供給源として，他のユニットに電力を供給するエネルギー蓄積手段を使用することとしたので，撮像装置内部に別途昇圧回路を用意することなく圧電素子を動作させることが可能となる。
【手続補正２７】
【補正対象書類名】明細書
【補正対象項目名】００７１
【補正方法】変更
【補正の内容】
【００７１】
また，請求項３に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御する一方，１回目の撮影では圧電素子を充電して撮像素子を変位させた状態で撮影を行い，２回目の撮影では圧電素子を放電させて撮像素子の変位前の状態で撮影を行うべく制御することとしたので，撮像装置内部に別途昇圧回路を用意することなく圧電素子を動作させることができ，また，高精細な画像を得ることができる。
【手続補正２８】
【補正対象書類名】明細書
【補正対象項目名】００７２
【補正方法】変更
【補正の内容】
【００７２】
また，請求項４に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御し，さらに，スイッチ手段は，圧電素子の充電電圧が所定値になると充電動作を停止して当該充電電圧を保持する一方，圧電素子の充電電圧が所定値よりも低下した場合に，充電動作を再開する充電調整回路を含み，制御手段は，１回目の撮影では圧電素子を充電して撮像素子を変位させた状態で撮影を行い，２回目の撮影では圧電素子を放電させて撮像素子の変位前の状態で撮影を行うべく制御することとしたので，撮像装置内部に別途昇圧回路を用意することなく圧電素子を動作させることができ，また，高精細な画像を得ることができる。さらに，充電終了制御をスイッチ手段で行うこととしたので，制御手段の負担を減らすことができる。
【手続補正２９】
【補正対象書類名】明細書
【補正対象項目名】００７３
【補正方法】変更
【補正の内容】
【００７３】
また，請求項５に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御し，このスイッチ手段は，圧電素子の充電をＯＮ／ＯＦＦさせる充電用ＳＷ回路と，圧電素子の放電をＯＮ／ＯＦＦさせる放電用ＳＷ回路と，圧電素子の充電電圧を検出する検出回路と，検出回路で検出した圧電素子の充電電圧と基準電圧値とを比較する比較手段とを含み，充電用ＳＷ回路は比較手段の比較結果に基づいて前記圧電素子の充電をＯＮ／ＯＦＦさせる一方，制御手段は，１回目の撮影では圧電素子を充電して前記撮像素子を変位させた状態で撮影を行い，２回目の撮影では圧電素子を放電させて撮像素子の変位前の状態で撮影を行うべく制御することとしたので，撮像装置内部に別途昇圧回路を用意することなく圧電素子を動作させることができ，また，高精細な画像を得ることができる。さらに，充電終了制御をスイッチ手段の比較手段で行うこととしたので，制御手段の負担を減らすことができる。
【手続補正３０】
【補正対象書類名】明細書
【補正対象項目名】００７４
【補正方法】変更
【補正の内容】
【００７４】
また，請求項６に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御し，圧電素子が所定電圧になった場合に充電動作を停止させ，さらに，１回目の撮影では圧電素子を充電して撮像素子を変位させた状態で撮影を行い，２回目の撮影では圧電素子を放電させて撮像素子の変位前の状態で撮影を行うべく制御することとしたので，撮像装置内部に別途昇圧回路を用意することなく圧電素子を動作させることができ，また，高精細な画像を得ることができる。さらに，充電終了制御を制御手段で行うこととしたので，小規模な回路構成でスイッチ手段を実現することが可能となる。
【手続補正３１】
【補正対象書類名】明細書
【補正対象項目名】００７５
【補正方法】変更
【補正の内容】
【００７５】
また，請求項７に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御するとともに，圧電素子が所定電圧になった場合に充電動作を停止させるべく制御し，さらに，スイッチ手段は，圧電素子の充電をＯＮ／ＯＦＦさせる充電用ＳＷ回路と，圧電素子の放電をＯＮ／ＯＦＦさせる放電用ＳＷ回路と，圧電素子の充電電圧を検出する検出回路とを含み，制御手段は検出手段の検出電圧に基づいて充電用ＳＷ回路をＯＮ／ＯＦＦさせる一方，１回目の撮影では圧電素子を充電して撮像素子を変位させた状態で撮影を行い，２回目の撮影では圧電素子を放電させて撮像素子の変位前の状態で撮影を行うべく制御することとしたので，撮像装置内部に別途昇圧回路を用意することなく圧電素子を動作させることができ，また，高精細な画像を得ることができる。さらに，充電終了制御を制御手段で行うこととしたので，より小規模な回路構成でスイッチ手段を実現することが可能となる。
【手続補正３２】
【補正対象書類名】明細書
【補正対象項目名】００７６
【補正方法】変更
【補正の内容】
【００７６】
また，請求項８に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御し，制御手段は，１回目の撮影では撮像素子を変位させない状態で撮影を行い，２回目の撮影では圧電素子を充電させて撮像素子を変位させた状態で撮影を行うべく制御することとしたので，撮像装置内部に別途昇圧回路を用意することなく圧電素子を動作させることができ，また，高精細な画像を得ることができる。
【手続補正３３】
【補正対象書類名】明細書
【補正対象項目名】００７７
【補正方法】変更
【補正の内容】
【００７７】
また，請求項９に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御し，さらに，スイッチ手段は，圧電素子の充電電圧が所定値になると充電動作を停止して当該充電電圧を保持する一方，圧電素子の充電電圧が所定値よりも低下した場合に，充電動作を再開する充電調整回路を含み，制御手段は，１回目の撮影では撮像素子を変位させない状態で撮影を行い，２回目の撮影では圧電素子を充電させて撮像素子を変位させた状態で撮影を行うべく制御することとしたので，撮像装置内部に別途昇圧回路を用意することなく圧電素子を動作させることができ，また，高精細な画像を得ることができる。さらに，充電終了制御をスイッチ手段で行うこととしたので，制御手段の負担を減らすことができる。
【手続補正３４】
【補正対象書類名】明細書
【補正対象項目名】００７８
【補正方法】変更
【補正の内容】
【００７８】
また，請求項１０に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御し，さらに，スイッチ手段は，圧電素子の充電をＯＮ／ＯＦＦさせる充電用ＳＷ回路と，圧電素子の放電をＯＮ／ＯＦＦさせる放電用ＳＷ回路と，圧電素子の充電電圧を検出する検出回路と，検出回路で検出した圧電素子の充電電圧と基準電圧値とを比較する比較手段とを含み，充電用ＳＷ回路は比較手段の比較結果に基づいて圧電素子の充電をＯＮ／ＯＦＦさせる一方，制御手段は，１回目の撮影では撮像素子を変位させない状態で撮影を行い，２回目の撮影では圧電素子を充電させて撮像素子を変位させた状態で撮影を行うべく制御することとしたので，撮像装置内部に別途昇圧回路を用意することなく圧電素子を動作させることができ，また，高精細な画像を得ることができる。さらに，充電終了制御をスイッチ手段の比較手段で行うこととしたので，制御手段の負担を減らすことができる。
【手続補正３５】
【補正対象書類名】明細書
【補正対象項目名】００７９
【補正方法】変更
【補正の内容】
【００７９】
また，請求項１１に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御するとともに，圧電素子が所定電圧になった場合に充電動作を停止させるべく制御する一方，１回目の撮影では撮像素子を変位させない状態で撮影を行い，２回目の撮影では圧電素子を充電させて撮像素子を変位させた状態で撮影を行うべく制御することとしたので，撮像装置内部に別途昇圧回路を用意することなく圧電素子を動作させることができ，また，高精細な画像を得ることができる。さらに，充電終了制御を制御手段で行うこととしたので，小規模な回路構成でスイッチ手段を実現することが可能となる。
【手続補正３６】
【補正対象書類名】明細書
【補正対象項目名】００８０
【補正方法】変更
【補正の内容】
【００８０】
また，請求項１２に係る発明によれば，撮像手段は被写体を撮像し，圧電素子は撮像手段を変位させ，スイッチ手段は内部または外部に設けられたストロボ発光用のメインコンデンサに蓄積されたエネルギーで圧電素子を充電させ，また，圧電素子の放電を行わせ，制御手段はスイッチ手段を制御して，圧電素子の充放電シーケンスを制御するとともに，圧電素子が所定電圧になった場合に充電動作を停止させるべく制御し，さらに，スイッチ手段は，圧電素子の充電をＯＮ／ＯＦＦさせる充電用ＳＷ回路と，圧電素子の放電をＯＮ／ＯＦＦさせる放電用ＳＷ回路と，圧電素子の充電電圧を検出する検出回路とを含み，制御手段は検出回路の検出電圧に基づいて充電用ＳＷ回路をＯＮ／ＯＦＦさせる一方，１回目の撮影では撮像素子を変位させない状態で撮影を行い，２回目の撮影では前記圧電素子を充電させて前記撮像素子を変位させた状態で撮影を行うべく制御することとしたので，撮像装置内部に別途昇圧回路を用意することなく圧電素子を動作させることができ，また，高精細な画像を得ることができる。さらに，充電終了制御を制御手段で行うこととしたので，より小規模な回路構成でスイッチ手段を実現することが可能となる。